(57)【要約】【課題】作業工数を抑えつつ導電板を器具本体に確実にアース接続できる照明器具を提供する。【解決手段】照明器具Ｓは、施工面に取り付けられる器具本体１と、器具本体１に取り付けられるアース用ソケット２とを備える。器具本体１は、金属材料からなりアース用ソケット２が取り付けられるソケット取付部１０を具備する。アース用ソケット２は、ＬＥＤランプのアース用口金に設けられたアース端子が電気的に接続される導電板２３と、少なくとも導電板２３が収納されるソケット本体２０とを具備する。ソケット取付部１０は、アース用ソケット２が取り付けられる際にアース用ソケット２に当接することで非塗装部分が露出するような突起１０Ｃを有し、アース用ソケット２が取り付けられた状態では導電板２３の一部が突起１０Ｃの非塗装部分に接触する。これにより、作業工数を抑えつつ導電板２３を器具本体１に確実にアース接続することができる。【選択図】図１
2013246972.tif 000002
【特許請求の範囲】
【請求項１】
施工面に取り付けられる器具本体と、前記器具本体に取り付けられるアース用ソケットとを備え、
前記器具本体は、金属材料からなり前記アース用ソケットが取り付けられるソケット取付部を具備し、
前記アース用ソケットは、ＬＥＤランプのアース用口金に設けられたアース端子が電気的に接続される導電板と、少なくとも前記導電板が収納されるソケット本体とを具備し、
前記ソケット取付部は、前記アース用ソケットが取り付けられる際に前記アース用ソケットに当接することで非塗装部分が露出するような突部を有し、前記アース用ソケットが取り付けられた状態では前記導電板の一部が前記突部の前記非塗装部分に接触することを特徴とする照明器具。
【請求項２】
前記突部は、平面視の形状が三角形状であって、前記アース用ソケットが取り付けられる際に前記突部の先端が前記導電板に摺動することで前記非塗装部分が前記突部の先端に露出し、前記アース用ソケットが取り付けられた状態では前記導電板の一部が前記突部の前記非塗装部分に接触することを特徴とする請求項１記載の照明器具。
【請求項３】
前記突部は、前記アース用ソケットが取り付けられる際に前記アース用ソケットに当接することで前記突部の長手方向における途中位置で破断し、前記アース用ソケットが取り付けられた状態では前記導電板の一部が前記突部の破断面に接触することを特徴とする請求項１記載の照明器具。
【発明の詳細な説明】
【技術分野】
【０００１】
本発明は、照明器具に関するものである。
【背景技術】
【０００２】
近年、蛍光灯に代わる代替光源として直管形のＬＥＤランプが普及し始めている（例えば特許文献１参照）。このＬＥＤランプは、細長い直管状に形成された外管体と、外管体の両端に設けられた口金とを有し、外管体の内部には複数のＬＥＤ（発光ダイオード）が実装されたＬＥＤ基板が収納されている。また各口金には、ＪＩＳ規格により標準化された蛍光ランプの電極ピンと同一形状の電極ピンがそれぞれ設けられている。
【先行技術文献】
【特許文献】
【０００３】
【特許文献１】特開２００９−４３４４７号公報
【発明の概要】
【発明が解決しようとする課題】
【０００４】
上述の特許文献１に示したＬＥＤランプは、外部より供給される交流電力を直流電力に変換する変換回路を有しており、この変換回路で変換された直流電力によって点灯するものであるが、外部より直流電力が供給されて点灯するＬＥＤランプも提供されている。このＬＥＤランプは、外管体の一端に設けられた口金が給電用の口金、他端に設けられた口金がアース用の口金となっている。そして、このようなＬＥＤランプを光源とする照明器具では、給電用の口金が装着される給電用ソケット（図示せず）と、アース用の口金が装着されるアース用ソケット１００とが器具本体（図示せず）に取り付けられている。以下、アース用ソケット１００について説明する。
【０００５】
アース用ソケット１００は、図１０に示すように、その内部にＬＥＤランプのアース端子（図示せず）が接続される導電板１０１を備えており、この導電板１０１を器具本体にアース接続する必要がある。また、アース用ソケット１００には、リード線１０２の一端が挿入される挿入孔１００Ａが設けられており、導電板１０１には、挿入孔１００Ａに挿入されたリード線１０２の一端が接続される端子部（図示せず）が設けられている。さらに、リード線１０２の他端には、器具本体にねじ止めするための圧着端子１０３が設けられている。
【０００６】
このアース用ソケット１００では、導電板１０１を器具本体にアース接続する際に、リード線１０２の一端を導電板１０１の端子部に接続し、リード線１０２の他端に設けられた圧着端子１０３を器具本体にねじ止めしなければならず、作業工数がかかるという問題があった。
【０００７】
また、導電板を器具本体の金属部分に直接接触させてアース接続することも考えられるが、この場合には導電板が接触する金属部分の塗装を剥がしたり、導電板が接触する金属部分が塗装されないようにマスキングしなければならず、同様に作業工数がかかるという問題があった。
【０００８】
本発明は上記問題点に鑑みて為されたものであり、その目的とするところは、作業工数を抑えつつ導電板を器具本体に確実にアース接続できる照明器具を提供することにある。
【課題を解決するための手段】
【０００９】
本発明の照明器具は、施工面に取り付けられる器具本体と、器具本体に取り付けられるアース用ソケットとを備える。器具本体は、金属材料からなりアース用ソケットが取り付けられるソケット取付部を具備する。アース用ソケットは、ＬＥＤランプのアース用口金に設けられたアース端子が電気的に接続される導電板と、少なくとも導電板が収納されるソケット本体とを具備する。ソケット取付部は、アース用ソケットが取り付けられる際にアース用ソケットに当接することで非塗装部分が露出するような突部を有し、アース用ソケットが取り付けられた状態では導電板の一部が突部の非塗装部分に接触する。
【００１０】
この照明器具において、突部は、平面視の形状が三角形状であって、アース用ソケットが取り付けられる際に突部の先端が導電板に摺動することで非塗装部分が突部の先端に露出し、アース用ソケットが取り付けられた状態では導電板の一部が突部の非塗装部分に接触するのが好ましい。
【００１１】
また、この照明器具において、突部は、アース用ソケットが取り付けられる際にアース用ソケットに当接することで突部の長手方向における途中位置で破断し、アース用ソケットが取り付けられた状態では導電板の一部が突部の破断面に接触するのも好ましい。
【発明の効果】
【００１２】
本発明によると、アース用ソケットをソケット取付部に取り付ける際にソケット取付部の突部に非塗装部分が露出し、アース用ソケットをソケット取付部に取り付けた状態では導電板の一部が上記非塗装部分に接触するので、作業工数を抑えつつ導電板を器具本体に確実にアース接続できる照明器具を得ることができる。
【図面の簡単な説明】
【００１３】
【図１】（ａ）〜（ｃ）は実施形態１の照明器具の要部を説明する説明図である。
【図２】（ａ）、（ｂ）は同上のソケット取付部にアース用ソケットを取り付ける手順を説明する説明図である。
【図３】同上のアース用ソケットを示し、（ａ）は分解斜視図、（ｂ）は一部拡大図である。
【図４】同上のソケット取付部を示し、（ａ）は全体斜視図、（ｂ）は平面図、（ｃ）は一部拡大図である。
【図５】（ａ）、（ｂ）は実施形態２の照明器具の要部を説明する説明図である。
【図６】同上のソケット取付部を示し、（ａ）は全体斜視図、（ｂ）は平面図、（ｃ）は一部拡大図である。
【図７】（ａ）〜（ｃ）は実施形態３の照明器具の要部を説明する説明図である。
【図８】（ａ）、（ｂ）は同上のソケット取付部にアース用ソケットを取り付ける手順を説明する説明図である。
【図９】実施形態１〜３の照明器具に用いられるＬＥＤランプの平面図である。
【図１０】従来のアース用ソケットの全体斜視図である。
【発明を実施するための形態】
【００１４】
以下に、照明器具の実施形態を図１〜図９を参照して説明する。この照明器具は、例えば天井面（施工面）に取り付けられ、室内を照明するために用いられる。
【００１５】
まず、照明器具に用いられるＬＥＤランプ３について図９を参照して説明する。ＬＥＤランプ３は、細長い直管状に形成されたランプ本体３０と、ランプ本体３０の両端に設けられた口金３１，３２とを備える。一方（図９中の左側）の口金３１には、Ｌ字状に形成された１対の給電端子３３，３３が突設されており、他方（図９中の右側）の口金（アース用口金）３２には、アース端子３４が突設されている。また、ランプ本体３０の内部には、複数のＬＥＤ（発光ダイオード）が実装されたＬＥＤ基板（図示せず）が収納されており、１対の給電端子３３，３３を介して供給される直流電力によって各ＬＥＤが点灯する。
【００１６】
（実施形態１）
本実施形態の照明器具Ｓは、器具本体１と、アース用ソケット２と、給電用ソケット（図示せず）と、上述のＬＥＤランプ３とを主要な構成として備える。なお、以下の説明では特に断りがない限り、図３（ａ）中の矢印ａ−ｂ方向を前後方向、矢印ｃ−ｄ方向を上下方向、矢印ｅ−ｆ方向を左右方向と規定して説明を行うが、これらの方向はアース用ソケット２の取付方向を規定するものではない。また、本実施形態では従来周知の給電用ソケットを採用しているため、給電用ソケットの説明については省略する。
【００１７】
アース用ソケット２は、図３（ａ）に示すように、ソケット本体２０と、導電板２３とを具備する。
【００１８】
ソケット本体２０は、下側が円弧状に湾曲する箱体からなり、前面が開口する樹脂製のボディ２２と、後面が開口する樹脂製のカバー２１とを組み立てて構成される。ボディ２２の上側寄りの両側面には、後述のソケット取付部１０の一部が差し込まれるスリット２２Ａがそれぞれ前後方向に沿って設けられており、また各スリット２２Ａの上側には、カバー２１側の各組立片２１Ｂがそれぞれ係合される溝部２２Ｂが設けられている。
【００１９】
カバー２１の下端部には、下面及び前面が開口し、ＬＥＤランプ３の口金３２から突出するアース端子３４がスライド自在に挿入される溝部２１Ａが設けられている。また、カバー２１の上側寄りの両側面には、後方（ボディ２２側）に突出する組立片２１Ｂがそれぞれ設けられており、各組立片２１Ｂの先端部にはそれぞれ係合突起２１Ｃが設けられている。そして、ボディ２２の開口側（前面側）とカバー２１の開口側（後面側）を向かい合わせた状態で、各組立片２１Ｂの係合突起２１Ｃをそれぞれ対応する溝部２２Ｂの端縁部分に係止させると、カバー２１がボディ２２に取り付けられ、ソケット本体２０が組み立てられる。
【００２０】
導電板２３は、弾性を有する長尺板状の金属板に曲げ加工を施して形成され、アース端子３４を挟持する左右１対の接触片２３Ｂ，２３Ｂと、各接触片２３Ｂの上端部において各接触片２３Ｂを互いに連結する連結片２３Ａと、連結片２３Ａの上端部に設けられた左右１対の接触片２３Ｃ，２３Ｃとを一体に形成して構成される。各接触片２３Ｃは、図３（ｂ）に示すように前後方向に延長された板状であって、前端部で連結片２３Ａに連結されており、後端部が左右方向に撓み自在となっていて、ボディ２２の対応するスリット２２Ａを臨むようにして配置される。また、各接触片２３Ｂの中間部には、それぞれ左右外側に向かって断面円弧状に湾曲する保持部２３Ｄが設けられており、これらの保持部２３Ｄ，２３Ｄ間でアース端子３４を挟持することで、アース端子３４が導電板２３に機械的に保持されるとともに、アース端子３４と導電板２３とが電気的に接続される。
【００２１】
器具本体１は、金属材料からなりアース用ソケット２が取り付けられるソケット取付部１０を具備する。このソケット取付部１０は、図４（ａ）及び図４（ｂ）に示すように、矩形状の切欠部１０Ａを有する平面視Ｕ字状に形成され、切欠部１０Ａの前端部（図４（ｂ）中の上端部）には面取部１０Ｂ，１０Ｂが形成されている。また、切欠部１０Ａにおいて前後方向に沿う両側端部には、図４（ｃ）に示すように平面視三角形状の突起（突部）１０Ｃがそれぞれ内向きに突設されている。ここに、ソケット取付部１０には塗装が施されており、各突起１０Ｃの表面には塗膜が形成されている。
【００２２】
次に、アース用ソケット２を器具本体１のソケット取付部１０に取り付ける手順について図１及び図２を参照して説明する。図１（ａ）及び図２（ａ）に示すように、器具本体１のソケット取付部１０に対して前側（図１（ａ）中の右側）からアース用ソケット２を近づけていき、ソケット取付部１０の切欠部１０Ａの各側端部をソケット本体２０の対応するスリット２２Ａにそれぞれ差し込む。ここに、切欠部１０Ａの前端部に面取部１０Ｂ，１０Ｂが形成されているため、切欠部１０Ａの各側端部を対応するスリット２２Ａに容易に差し込むことができる。そして、ソケット本体２０が切欠部１０Ａの後端部に当接する位置まで差し込むことで、図１（ｂ）及び図２（ｂ）に示すようにアース用ソケット２がソケット取付部１０に取り付けられる。
【００２３】
ここで、アース用ソケット２をソケット取付部１０に取り付ける際に、導電板２３の各接触片２３Ｃがそれぞれソケット取付部１０の対応する突起１０Ｃに弾接し、突起１０Ｃが接触片２３Ｃに摺動することで摩擦により塗装が剥がれ、非塗装部分（ソケット取付部１０の地金）を露出させている。そして、アース用ソケット２がソケット取付部１０に取り付けられた状態では、導電板２３の各接触片２３Ｃがそれぞれ対応する突起１０Ｃの非塗装部分に接触し、導電板２３とソケット取付部１０とが電気的に接続される。つまり本実施形態によれば、アース用ソケット２をソケット取付部１０に取り付けるだけで導電板２３とソケット取付部１０（器具本体１）を電気的に接続（アース接続）することができ、従来例に比べて作業工数を抑えることができる。また本実施形態によれば、アース用ソケット２をソケット取付部１０に取り付ける際にソケット取付部１０に設けられた突起１０Ｃに非塗装部分が形成され、アース用ソケット２をソケット取付部１０に取り付けた状態では導電板２３の接触片２３Ｃが突起１０Ｃの非塗装部分に接触するので、導電板２３をソケット取付部１０（器具本体１）に確実にアース接続することができる。
【００２４】
（実施形態２）
照明器具Ｓの実施形態２について図５及び図６を参照して説明する。上述の実施形態１では、ソケット取付部１０の切欠部１０Ａの各側端部に設けた突起１０Ｃの塗装を剥がすことで非塗装部分を露出させたが、本実施形態では、突起１０Ｄの途中位置に設けた切欠部１０Ｅの部分で突起１０Ｄを破断させて、非塗装部分を露出させている。なお、それ以外の構成は実施形態１と同様であり、同一の構成要素には同一の符号を付して説明を省略する。
【００２５】
本実施形態の照明器具Ｓは、ソケット取付部１０を具備する器具本体１と、ソケット本体２０の内部に導電板２３が収納されたアース用ソケット２と、給電用ソケット（図示せず）と、上述のＬＥＤランプ３とを主要な構成として備える。なお、本実施形態でも従来周知の給電用ソケットを採用しているため、給電用ソケットの説明については省略する。
【００２６】
ソケット取付部１０は、図６（ａ）及び図６（ｂ）に示すように、矩形状の切欠部１０Ａを有する平面視Ｕ字状に形成され、切欠部１０Ａにおいて前後方向に沿う両側端部には、図６（ｃ）に示すように棒状の突起（突部）１０Ｄがそれぞれ内向きに突設されている。また、各突起１０Ｄの前後方向における両側（図６（ｃ）中の左右両側）には、三角形状の切欠部１０Ｅが設けられており、この切欠部１０Ｅの部分で突起１０Ｄを破断できるようになっている。なお、本実施形態のソケット取付部１０にも塗装が施されており、各突起１０Ｄの表面には塗膜が形成されている。
【００２７】
次に、アース用ソケット２を器具本体１のソケット取付部１０に取り付ける手順について図５を参照して説明する。図５（ａ）に示すように、器具本体１のソケット取付部１０に対して前側（図５（ａ）中の右側）からアース用ソケット２を近づけていき、ソケット取付部１０の切欠部１０Ａの各側端部をソケット本体２０の対応するスリット（図示せず）にそれぞれ差し込む。このとき、ソケット本体２０の後面によって切欠部１０Ｅの部分で各突起１０Ｄが破断し、非塗装部分（塗装されていない断面）が露出した状態になる。そして、アース用ソケット２を所定位置まで差し込んだ状態では、図５（ｂ）に示すように導電板２３の接触片２３Ｃが突起１０Ｄの非塗装部分に弾接し、導電板２３とソケット取付部１０とが電気的に接続される。つまり本実施形態によれば、アース用ソケット２をソケット取付部１０に取り付けるだけで導電板２３とソケット取付部１０（器具本体１）を電気的に接続（アース接続）することができ、従来例に比べて作業工数を抑えることができる。また本実施形態によれば、アース用ソケット２をソケット取付部１０に取り付ける際にソケット取付部１０に設けられた突起１０Ｄの非塗装部分が露出し、アース用ソケット２をソケット取付部１０に取り付けた状態では導電板２３の接触片２３Ｃが突起１０Ｄの非塗装部分に接触するので、導電板２３をソケット取付部１０（器具本体１）に確実にアース接続することができる。
【００２８】
（実施形態３）
照明器具Ｓの実施形態３について図７及び図８を参照して説明する。上述の実施形態１では、ソケット取付部１０の切欠部１０Ａの各側端部に設けた突起１０Ｃの塗装を剥がすことで非塗装部分を露出させたが、本実施形態では、切欠部１０Ａの前端部に設けた面取部１０Ｂの角部１０Ｆで突部を構成し、この角部１０Ｆの塗装を剥がすことで非塗装部分（ソケット取付部１０の地金）を露出させている。なお、それ以外の構成は実施形態１と同様であり、同一の構成要素には同一の符号を付して説明を省略する。
【００２９】
本実施形態の照明器具Ｓは、ソケット取付部１０を具備する器具本体１と、ソケット本体２０内に導電板２３が収納されたアース用ソケット２と、給電用ソケット（図示せず）と、上述のＬＥＤランプ３とを主要な構成として備える。なお、本実施形態でも従来周知の給電用ソケットを採用しているため、給電用ソケットの説明については省略する。
【００３０】
ソケット取付部１０は、図７（ａ）に示すように、矩形状の切欠部１０Ａを有する平面視Ｕ字状に形成され、切欠部１０Ａの前端部（図７（ａ）中の右端部）には面取部１０Ｂ，１０Ｂが形成されており、各面取部１０Ｂにおける後側の角部１０Ｆにより突部が構成されている。なお、本実施形態のソケット取付部１０にも塗装が施されており、各角部１０Ｆの表面には塗膜が形成されている。
【００３１】
次に、アース用ソケット２を器具本体１のソケット取付部１０に取り付ける手順について図７及び図８を参照して説明する。図７（ａ）及び図８（ａ）に示すように、器具本体１のソケット取付部１０に対して前側（図７（ａ）中の右側）からアース用ソケット２を近づけていき、ソケット取付部１０の切欠部１０Ａの各側端部をソケット本体２０の対応するスリット２２Ａにそれぞれ差し込む。ここに、切欠部１０Ａの前端部に面取部１０Ｂ，１０Ｂが形成されているため、切欠部１０Ａの各側端部を対応するスリット２２Ａに容易に差し込むことができる。そして、ソケット本体２０が切欠部１０Ａの後端部に当接する位置まで差し込むことで、図７（ｂ）及び図８（ｂ）に示すようにアース用ソケット２がソケット取付部１０に取り付けられる。
【００３２】
ここで、アース用ソケット２をソケット取付部１０に取り付ける際には、導電板２３の各接触片２３Ｃがそれぞれソケット取付部１０の対応する角部１０Ｆに弾接し、角部１０Ｆが接触片２３Ｃに摺動することで摩擦により塗装が剥がれ、非塗装部分（ソケット取付部１０の地金）を露出させている。そして、アース用ソケット２がソケット取付部１０に取り付けられた状態では、図７（ｃ）に示すように、導電板２３の各接触片２３Ｃがそれぞれ対応する角部１０Ｆの非塗装部分に接触し、導電板２３とソケット取付部１０とが電気的に接続される。つまり本実施形態によれば、アース用ソケット２をソケット取付部１０に取り付けるだけで導電板２３とソケット取付部１０（器具本体１）を電気的に接続（アース接続）することができ、従来例に比べて作業工数を抑えることができる。また本実施形態によれば、アース用ソケット２をソケット取付部１０に取り付ける際にソケット取付部１０に設けられた角部１０Ｆに非塗装部分が形成され、アース用ソケット２をソケット取付部１０に取り付けた状態では導電板２３の接触片２３Ｃが角部１０Ｆの非塗装部分に接触するので、導電板２３をソケット取付部１０（器具本体１）に確実にアース接続することができる。
【００３３】
なお、上述の実施形態１〜３で説明した突部は一例であり、アース用ソケットをソケット取付部に取り付ける際にアース用ソケットに当接することで非塗装部分が露出するようなものであれば他のものでもよい。また、上述の実施形態１〜３では直管型のＬＥＤランプを例に説明したが、一方の口金にアース端子が設けられているものであればよく、直管型のＬＥＤランプに限定されない。さらに、上述の実施形態１〜３ではソケット取付部を器具本体の一部として説明したが、ソケット取付部が器具本体と別部品であって器具本体に取り付けられるようになっていてもよい。
【符号の説明】
【００３４】
１  器具本体
２  アース用ソケット
１０  ソケット取付部
１０Ｃ  突起（突部）
２０  ソケット本体
２３  導電板
Ｓ  照明器具
【図１】
2013246972.tif 000003
【図２】
2013246972.tif 000004
【図３】
2013246972.tif 000005
【図４】
2013246972.tif 000006
【図５】
2013246972.tif 000007
【図６】
2013246972.tif 000008
【図７】
2013246972.tif 000009
【図８】
2013246972.tif 000010
【図９】
2013246972.tif 000011
【図１０】
2013246972.tif 000012